(57)【要約】  【課題】  ラバーをフロントパネルの脚部の下面に貼り付けた後のセットの自重による格子状の跡が残ることがなく、更に、合成樹脂の成形後の冷却時にヒケが生じることを防ぐことができるフロントパネルにおける脚部の構造を提供する。【解決手段】  フロントパネル１の下部の両側に設けられた肉厚平板状の脚部２の下面にラバー７が貼着されたフロントパネルにおける脚部の構造において、平板状の脚部２に肉厚を同じ厚さにするための複数の肉盗み５が形成され、これら複数の肉盗み５の下側に板状部６が設けられて、この板状部６にラバーが貼着されている。更に、複数の肉盗み５は脚部２に外部に抜けるように並列状に複数形成され、その下側に板状部６が一体に形成されてこの板状部６にラバー７が貼着されている。【選択図】  図２
2009134789.tif 000002
【特許請求の範囲】
【請求項１】
フロントパネルの下部の両側に設けられた肉厚平板状の脚部の下面にラバーが貼着されたフロントパネルにおける脚部の構造において、前記平板状の脚部に肉厚を同じ厚さにするための複数の肉盗みが形成され、これら複数の肉盗みの下側に板状部が設けられて、この板状部にラバーが貼着されていることを特徴とするフロントパネルにおける脚部の構造。
【請求項２】
前記複数の肉盗みは前記脚部に外部に抜けるように並列状に複数形成され、その下側に板状部が一体に形成されてこの板状部に前記ラバーが貼着されている請求項１に記載のフロントパネルにおける脚部の構造。
【請求項３】
前記複数の肉盗みは複数の角孔からなっていて前記脚部が格子状に形成され、その下側に別体に形成された板状部が貼着されてこの板状部に前記ラバーが貼着されている請求項１に記載のフロントパネルにおける脚部の構造。
【発明の詳細な説明】
【技術分野】
【０００１】
本発明は、フロントパネルの下部の両側に設けられた肉厚平板状の脚部の下面にラバーが貼着されたフロントパネルにおける脚部の構造に関するものである。
【背景技術】
【０００２】
一般に、図４に示すように、ＤＶＤ関連機種では、フロントパネル１０１の下部の両側に脚部１０２が設けられている。従来は、図５に示すように、脚部１０２は合成樹脂の成形におけるゴム製のラバー（図示略）の取り付け部１０２ａの形状をヒケ対策のために格子状の形状にしていることが多い。ところが、脚部１０２にラバーを貼った後に使用ときにセットの自重によりラバーに格子状のリブの跡が残ってしまって外観が悪くなるという問題があった。
【０００３】
また、図６のように脚部１０２Ａを忠実の肉盛りにしてラバーにリブの跡が残らないようにすることが考えられるが、脚部１０２Ａの各部分の肉厚が異なることとなり、合成樹脂の成形後の冷却時に主にＡの外観面にヒケが生じてしまい、外観が悪くなるという問題があった。
【０００４】
第１の従来技術を図７、図８、図９に示す。この従来のテレビジョンキャビネットは、図７、図８、図９に示すように、ＣＲＴを取り付けるフロントキャビネットと、フロントキャビネットの後部に接続するリアキャビネットを備えるテレビジョンキャビネットであって、ＣＲＴを取り付けるためにフロントキャビネット四隅の内壁に後方に向かって略水平に延びるＣＲＴ取付け用ボス２０３を複数設け、ＣＲＴ取付け用ボス２０３の根元近傍に於いて内壁の厚さｅを他の部分の厚さｄよりもＣＲＴ取付け用ボス２０３の厚さｃの略半分だけ厚く形成した肉厚部２１２を設け、肉厚部２１２と他の部分との厚さの差ｅ−ｄの深さａを持つ複数の溝２１６を肉厚部２１２に格子状に形成した。（例えば、特許文献１参照）。
【０００５】
ところが、これにおいては、ラバーを貼り付けるものではなかった。
【０００６】
第２の従来技術を図１０（ａ）（ｂ）に示す。筐体３００の側面または天面などを構成する面３５０板厚寸法Ｔに対し、リブ３０１の板厚寸法ｔを１／３Ｔ〜２／３Ｔとし、リブ３０１の両側に対称形に肉盛り部３０２をそれぞれ配慮し、面３５０とリブ３０１の交差部に三角形状の中空部３０３を設けた構成により、外観不良が発生しやすい交差部に効果的にガスの二次圧を加える。（例えば、特許文献２参照）。
【０００７】
ところが、これにおいても、ラバーを貼り付けるものではなかった。
【特許文献１】特開２００６−１２９２３３号公報
【特許文献２】特開平８−３３６８５６号公報
【発明の開示】
【発明が解決しようとする課題】
【０００８】
本発明は、上記従来の問題に鑑みてなされたものであって、ラバーをフロントパネルの脚部の下面に貼り付けた後のセットの自重による格子状の跡が残ることがなく、更に、合成樹脂の成形後の冷却時にヒケが生じることを防ぐことができるフロントパネルにおける脚部の構造を提供することを目的としている。
【課題を解決するための手段】
【０００９】
本発明は、上記課題を解決するために提案されたものであって、請求項１に記載の発明は、フロントパネルの下部の両側に設けられた肉厚平板状の脚部の下面にラバーが貼着されたフロントパネルにおける脚部の構造において、前記平板状の脚部に肉厚を同じ厚さにするための複数の肉盗みが形成され、これら複数の肉盗みの下側に板状部が設けられて、この板状部にラバーが貼着されていることを特徴としている。
【００１０】
請求項２に記載の発明は、請求項１に記載の発明において、前記複数の肉盗みは前記脚部に外部に抜けるように並列状に複数形成され、その下側に板状部が一体に形成されてこの板状部に前記ラバーが貼着されている。
【００１１】
請求項３に記載の発明は、請求項１に記載の発明において、前記複数の肉盗みは複数の角孔からなっていて前記脚部が格子状に形成され、その下側に別体に形成された板状部が貼着されてこの板状部に前記ラバーが貼着されている
【発明の効果】
【００１２】
請求項１に記載の発明によれば、フロントパネルの下部の両側に設けられた平板状の脚部に肉厚を同じ厚さにするための複数の肉盗みが形成されているから、合成樹脂の成形後の冷却時にこの脚部にヒケが生じることを防ぐことができる。また、複数の肉盗みの下側に板状部が設けられているので、この板状部に貼着されているラバーにセットの自重による格子状の跡が残ることがなくて外観を良好なものにすることができる。
【００１３】
請求項２に記載の発明によれば、複数の肉盗みが脚部の外部に抜けるように並列状に複数形成され、その下側に板状部が一体に形成されているから、複数の肉盗みを成形時に金型を横向きに容易に抜くことができて成形が行い易い。また、板状部が一体に設けられているから、構造的に強固にすることができる共に、この板状部にラバーが貼着されるので、ラバーに格子状の跡が残ることがない。
【００１４】
請求項３に記載の発明によれば、複数の肉盗みが複数の角孔からなっていて脚部が格子状に形成されているので、成形時に金型が上向きに抜き易く成形が行い易い。また、その下側に別体に形成された板状部が貼着され、この板状部にラバーが貼着されるから、ラバーに格子状の跡が残ることがない。
【発明を実施するための最良の形態】
【００１５】
以下、本発明に係るフロントパネルにおける脚部の構造の実施の形態について、図を参照しつつ説明する。
【００１６】
図１はフロントパネルの正面図、図２は本発明の第１実施形態のフロントパネルにおける脚部の構造を示し、（ａ）はその脚部の下面図、（ｂ）はその脚部の斜視図、（ｃ）はその脚部の裏面図である。
【００１７】
図１に示すように、ＤＶＤ関連機種では、フロントパネル１の下部の両側に脚部２が設けられている。第１実施形態のフロントパネルにおける脚部の構造は、図２（ａ）（ｂ）（ｃ）に示すように、平板状の脚部２の外周枠部３の内部側に内周枠部４が設けられており、内周枠部４内に外部に抜けるように複数の肉盗み５が並列状に複数形成されている。そして、その下側に板状部６が一体に形成されている。この板状部の下面にはゴム等からなるラバー７が貼り付けられるようになっている。複数の肉盗み５を形成するには、図１（ｂ）に示すように、合成樹脂の成形金型が図にて手前側に抜かれるようになっている。
【００１８】
従って、この第１実施形態によれば、フロントパネル１の下部の両側に設けられた平板状の脚部２に肉厚を同じ厚さにするための複数の肉盗み５が形成されているから、合成樹脂の成形後の冷却時にこの脚部２にヒケが生じることを防ぐことができる。また、複数の肉盗み５の下側に板状部６が設けられているので、この板状部６に貼着されているラバー７にセットの自重による格子状の跡が残ることがなくて外観を良好なものにすることができる。また、複数の肉盗み５が脚部２の外部に抜けるように並列状に複数形成され、その下側に板状部６が一体に形成されているから、複数の肉盗み５を成形時に金型を横向きに容易に抜くことができて成形が行い易い。また、板状部６が一体に設けられているから、構造的に強固にすることができる共に、この板状部６にラバー７が貼着されるので、ラバー７に従来のように格子状の跡が残ることがない。
【００１９】
図３は第２実施形態のフロントパネルにおける脚部の構造を示す部分斜視図である。
【００２０】
この第２実施形態のフロントパネルにおける脚部の構造は、図３に示すように、複数の肉盗み５Ａが複数の角孔からなっていて格子状に形成されている。そして、その下側に別体に形成された板状部６Ａが貼着されてこの板状部６Ａにラバー７が貼着されるようになっている。
【００２１】
従って、この第２実施形態によれば、複数の肉盗み５Ａが複数の角孔からなっていて脚部２内が格子状に形成されているので、成形時に金型が上向きに抜き易く成形が行い易い。また、その下側に別体に形成された板状部６Ａが貼着され、この板状部６Ａにラバー７が貼着されるから、従来のようにラバー７に格子状の跡が残ることがない。
【図面の簡単な説明】
【００２２】
【図１】フロントパネルの正面図である。
【図２】本発明の第１実施形態のフロントパネルにおける脚部の構造を示し、（ａ）はその脚部の下面図、（ｂ）はその脚部の斜視図、（ｃ）はその脚部の裏面図である。
【図３】第２実施形態のフロントパネルにおける脚部の構造を示す部分斜視図である。
【図４】フロントパネルの正面図である。
【図５】従来のフロントパネルの脚部の構造を示す下面図である。
【図６】従来の第２例のフロントパネルの脚部の構造を示し、（ａ）はその下面図、（ｂ）はその斜視図である。
【図７】従来のテレビジョンキャビネットにおけるＣＲＴ取付け用ボス及びその近傍の拡大図である。
【図８】従来のテレビジョンキャビネットにおけるＣＲＴ取付け用ボスと格子の大きさの関係を示す部分拡大図である。
【図９】図７におけるａ−ａ線断面図である。
【図１０】（ａ）は従来の筐体におけるテレビジョン受像機筐体を後面から見た斜視図、（ｂ）は（ａ）の筐体を構成する面とリブを示す部分断面図である。
【符号の説明】
【００２３】
１        フロントパネル
２        脚部
３        外周枠部
４        内周枠部
５        肉盗み
５Ａ      肉盗み
６        板状部
６Ａ      板状部
７        ラバー
【図１】
2009134789.tif 000003
【図２】
2009134789.tif 000004
【図３】
2009134789.tif 000005
【図４】
2009134789.tif 000006
【図５】
2009134789.tif 000007
【図６】
2009134789.tif 000008
【図７】
2009134789.tif 000009
【図８】
2009134789.tif 000010
【図９】
2009134789.tif 000011
【図１０】
2009134789.tif 000012